(57)【要約】  【課題】  多層ディスクの切換ポイントを確認する作業を容易にし、評価者の負担を軽減できるディスクのレイヤ切換ポイント解析装置を提供する。【解決手段】  ディスク１が２層構造であるとき、管理情報を取得してビデオタイトルデータの記録位置に関するタイムマップテーブルを検索し、前記ビデオタイトルデータが第１の情報記録面側より第２の情報記録面側へと切り換わる時点を示す最終アドレスが有るか否かを解析する解析手段９，１６と、この最終アドレスが有るとき、前記タイムマップテーブルから前記最終アドレスを時間データに変換し、かつ、表示手段１７を制御して表示画面に前記最終アドレス位置の時間を表示させる制御手段１６と、を備えた。【選択図】      図  １
2007048377.tif 000002
【特許請求の範囲】
【請求項１】
第１の情報記録面と第２の情報記録面とが２層構造で、記録トラックを各層の内周から外周方向へ、または外周から内周方向へ螺旋状に形成し、各層に跨ってビデオタイトルのデータを記録し、このビデオタイトルの管理情報を管理エリヤに記録するディスクから記録情報を読み取る読取手段と、
この読取手段で読み取られた前記管理情報の層情報から当該ディスクが２層構造か否かを判別する判別手段と、
このディスクが２層構造であるとき、前記管理情報を取得して前記ビデオタイトルデータの記録位置に関するタイムマップテーブルを検索し、前記ビデオタイトルデータが前記第１の情報記録面側より第２の情報記録面側へと切り換わる時点を示す最終アドレスが有るか否かを解析する解析手段と、
この最終アドレスが有るとき、前記タイムマップテーブルから前記最終アドレスを時間データに変換し、かつ、表示手段を制御して表示画面に前記最終アドレス位置の時間を表示させる制御手段と、を備えたディスクのレイヤ切換ポイント解析装置。
【請求項２】
前記制御手段が、前記最終アドレスの有るとき、情報再生系を制御して、前記最終アドレスの直前のアドレスから前記ビデオタイトルデータの再生を開始させる制御を行うことを特徴とする請求項１に記載のディスクのレイヤ切換ポイント解析装置。
【発明の詳細な説明】
【技術分野】
【０００１】
本発明は、複数の記録層を有したＤＶＤ(Digital Versatile Disc)等のディスクにデータを記録・再生するディスク装置に係り、特に、１枚のディスクへのデータ記録が１層から２層に切換わる時点を簡便に解析し得るディスクのレイヤ切換ポイント解析装置に関する。
【背景技術】
【０００２】
２層以上の記録・再生層（レイヤ）を有したＣＤやＤＶＤ等のディスクは、記録トラックを各層の内周から外周方向へ、または外周から内周方向へ螺旋状に形成しており、各層に跨ってメインデータを記録するようになっている。
普及型の２層式ＤＶＤは、メインデータであるビデオデータが第１の情報記録面（第１記録層）側において第２の情報記録面（第２記録層）側へと切り換わる。
【０００３】
このようなＤＶＤは、製作会社によって記録トラックの構造が若干異なることから、ＤＶＤレコーダー等でビデオデータを再生するとき、第１記録層側の切換ポイントで読取り不能が発生し、モニタの再生画像が乱れたり、不安定な画像が表示されるという不具合が生じていた。
このため、ディスク装置の製作者やディスクの開発者は、データの記録・再生に不具合が生じるか否かを事前に知る必要があり、各種のディスクをチェックして、適否の評価を行っていた。
【０００４】
２層式ＤＶＤの場合は、ユーザーデータエリヤにビデオデータが記録されると、そのビデオタイトルのアドレス番号が時間情報に対応して書き込まれるようになっている。
そこで、ＤＶＤの評価に用いるディスク装置に検索モードを設定し、この検索モードを選択したときに、ＤＶＤの記録情報を再生させ、表示回路を制御することにより、モニタ２３の画面２３ａに再生時間を表示するようにしていた。
例えば、第１層に最終アドレスがあると、図１２に示すように、画面２３ａには、５９分５９秒を示す“００：５９：５９”が表示される。そして、第２層に切換わると、図１３に示す如く画面２３ａには、１時間００分００秒を示す“０１：００：００”が表示される。
評価者は、このように表示される時間を注視し、第１層から第２層に切換わる時点をビデオデータの切換ポイントとして把握するようにしていた。
【０００５】
しかし、このような切換ポイントの検索は、再生の最初から表示時間を見はじめ、第２層に切換わる時点まで見続けなければならないため、長時間を要することがあった。
また、映像情報は、一般に複数のタイトルで構成されていることから、第１層側の各タイトルの中に最終アドレスを示す時間が表示されるか否かをチェックしてゆく作業は、甚だ面倒なものであった。
【０００６】
ところで、この種の多層ディスクは、１層式には無い特有の不具合が生じ易いことから、各種の提案がなされている。
本発明者等は、データを読み取る記録層を一方の層から他方の層に切換えるときに再生が不安定になる問題を解決するための光ディスク装置を先に提案した（例えば、特許文献１参照）。
この光ディスク装置は、普及型と同じくピックアップヘッド、バッファメモリ、再生部およびサーボ調整部を備えている。そして、データの読取層を一方の記録層から他方の記録層へ切換えるときに、ピックアップヘッドに供給するトラッキングサーボ信号およびフォーカスサーボ信号の生成に用いるオフセット、バランス、ゲインの調整を行うようにした。
これにより、２層式ＤＶＤの場合、データの読取層を切換えるときに生じる再生環境の大きな環境の変化に対して、前記トラッキングサーボ信号およびフォーカスサーボ信号を適正に保つことができ、再生が不安定になる問題を回避し得るものである。
【０００７】
【特許文献１】特開２００３−２４８９４０号公報また、現在再生中の記録面から別の記録面にアクセスする場合、ピックアップ移動量の演算や移動方向の制御が複雑になることから、ピックアップフォーカス切換えによるアクセスを容易にすることを目的としたディスク再生装置およびその方法が提案されている（例えば、特許文献２参照）。  このものは、ディスク上下のトラック同士のずれ量の無い回転角を求める手段と、ピックアップのフォーカス切換え命令を生成する手段と、セクタアドレスの検出とアクセス命令から異なる記録面にわたるアクセスであることを判定する手段と、セクタアドレスの検出とアクセス命令からピックアップ移動量を演算する手段および、この演算結果からピックアップの実際の移動量を換算し、移動方向を決定する手段等を備えて構成されている。これにより、ピックアップの真上をトラック同士のずれが無いトラック一致点が通過した際に、ピックアップのフォーカス切換えが可能となるので、ディスク中の２個の記録面間の偏心によるトラックずれが最小の位置でアクセス可能となる。また、異なる記録面にわたるアクセスの際、ピックアップ移動量の演算や移動方向の制御も容易になるというものである。
【０００８】
【特許文献２】特開平１０−１６２３７７号公報  さらに、多層構造のＣＤ等の記録媒体に対し、情報に付加されたアドレスを効率よく設定することを目的とした記録媒体も知られている（例えば、特許文献３参照）。  この記録媒体においては、先行する記録層の主情報記録領域の終端部分と、記録層の主情報記録領域の記録始端部分に記録される主情報に対し、共通フォーマットのアドレスが連続的に付加されるようになっている。  これはすなわち、層を跨ぐ部分においても主情報とアドレスとが１対１に対応していることと等価である。
【０００９】
これにより、先行する記録層の主情報記録領域の終端側アドレスと、後続する記録層の主情報記録領域の始端側アドレスとが過不足なく連続し、主情報記録領域以外のミドル領域のアドレスは、主情報記録領域に対して連続的に形成される。
そのうえ、再生する層が変わっても、デコーダ等に変更を要せず、再生回路が簡単になり、層を跨ぐプログラムについては、プログラム開始からの経過時間を容易に求めることができるというものである。
【００１０】
【特許文献３】特開平１１−２２５６０８号公報
【発明の開示】
【発明が解決しようとする課題】
【００１１】
ところで、上記特許文献１および２の発明は、何れも多層ディスクの再生時における不具合を改善するもので、レイヤ切換ポイントをチェックしてディスクを評価するときの非効率を解消することはできなかった。
また、上記特許文献３の発明は、層を跨ぐプログラムについて、プログラム開始からの経過時間を容易に求められるが、第１層側の各タイトルの中に最終アドレスが含まれているか否かをチェックし、レイヤ切換ポイントを知るものではなかった。
【００１２】
本発明は、上記課題に鑑みてなされたもので、多層ディスクの切換ポイントを確認する作業を容易にし、評価者の負担を軽減できるディスクのレイヤ切換ポイント解析装置を提供することを目的としている。                 
【課題を解決するための手段】
【００１３】
上記目的を達成するため、本発明によるディスクのレイヤ切換ポイント解析装置は、第１の情報記録面と第２の情報記録面とが２層構造で、記録トラックを各層の内周から外周方向へ、または外周から内周方向へ螺旋状に形成し、各層に跨ってビデオタイトルのデータを記録し、このビデオタイトルの管理情報を管理エリヤに記録するディスクから記録情報を読み取る読取手段と、この読取手段で読み取られた前記管理情報の層情報から当該ディスクが２層構造か否かを判別する判別手段と、このディスクが２層構造であるとき、前記管理情報を取得して前記ビデオタイトルデータの記録位置に関するタイムマップテーブルを検索し、前記ビデオタイトルデータが前記第１の情報記録面側より第２の情報記録面側へと切り換わる時点を示す最終アドレスが有るか否かを解析する解析手段と、この最終アドレスが有るとき、前記タイムマップテーブルから前記最終アドレスを時間データに変換し、かつ、表示手段を制御して表示画面に前記最終アドレス位置の時間を表示させる制御手段と、を備えたことを特徴としている。
また、前記制御手段が、前記最終アドレスの有るとき、情報再生系を制御して、前記最終アドレスの直前のアドレスから前記ビデオタイトルデータの再生を開始させる制御を行うことを特徴としている。
【発明の効果】
【００１４】
以上説明したように、本発明によるディスクのレイヤ切換ポイント解析装置は、読取手段で読み取られたディスクが２層構造であり、タイムマップテーブルの検索でビデオタイトルデータが第１の情報記録面側より第２の情報記録面側へと切り換わる時点を示す最終アドレスが有るとき、この最終アドレスを時間データに変換し、かつ、表示画面に最終アドレス位置の時間を表示させるので、従来のように、ディスクを再生しつつ最終アドレスをチェックしてレイヤ切換ポイントの時間を知る作業が不要となり、ディスクのレイヤ切換ポイントを短時間で簡便に知ることができる効果がある。
また、前記制御手段が、前記最終アドレスの有ったときは、この最終アドレスの直前のアドレスからビデオタイトルデータの再生を開始させるので、最初から再生させる必要なく、レイヤ切換ポイントに差しかかる前に再生すべきビデオタイトルデータの画像に注目して不具合を迅速にチェックできる利点がある。
【発明を実施するための最良の形態】
【００１５】
以下、本発明に係るディスクのレイヤ切換ポイント解析装置の実施形態について、図面を参照しながら詳述する。
図１は本発明の一実施形態であるディスクのレイヤ切換ポイント解析装置の電気的構成を示すブロック線図である。
本実施形態の装置は、ＤＶＤレコーダーに適用されたもので、リモコン (リモートコントローラ) ２２の押キー操作によりＤＶＤ１の記録情報を再生し、また、外部入力の情報をＤＶＤ１に記録させる構成になっている。なお、本例では、再生機能を主体に説明する。
【００１６】
図１において、２はＤＶＤ１を載置するディスクトレイであり、ディスクモータ３によって回転駆動される。また、４は光ピックアップであり、ＤＶＤ１のトラックから光学的に読み取った再生情報をＲＦアンプ５に出力する。
このＲＦアンプ５は、再生情報を信号処理部であるＤＳＰ（Digital Signal Processor）６とサーボ制御部７とに送出する。このサーボ制御部７の出力は、ＤＳＰ６に導かれている。
【００１７】
これらＲＦアンプ５、ＤＳＰ６およびサーボ制御部７等は、ＤＶＤ１から情報を再生するマイクロコンピュータ（以下、フロントエンドマイコン：ＦＥと称する）９によって制御されるようになっている。
このフロントエンドマイコン９は、バッファを備えており、光ピックアップ４で読み取られた管理情報を記憶する。
そして、後述のバックエンドマイコン１６からアクセスがあると、要求に応じた管理情報を出力する。
ＤＳＰ６には、トラックバッファＲＡＭ８が接続されており、ＲＦアンプ５によって増幅され、ＤＶＤ規格に従いデコードされたデータ（但し、ここでは、ＭＰＥＧ：Motion Picture Expert Groupにより圧縮されている）を一旦格納するようになっている。
また、このＤＳＰ６は、ＡＶ（Audio/Video）デコーダ１２を介してビデオエンコーダ１３とＤ／Ａコンバータ１４とに接続されている。
【００１８】
サーボ制御部７は、フロントエンドマイコン９からＤＳＰ６を介して送受信されるコマンドや制御データに従い、光ピックアップ４に対するフォーカシングサーボやトラッキングサーボのサーボ制御を行う。
また、光ピックアップ４をＤＶＤ１の半径方向に移動させるスレッドモーター１０の制御や、ディスクトレイ２を駆動するトレイモーター１１の制御を行う構成となっている。
【００１９】
ＡＶデコーダ１２は、ＤＶＤ１から再生された各種情報を出力する動作制御を行うマイクロコンピュータ（以下、バックエンドマイコン：ＢＥと称する）１６に接続されている。
このＡＶデコーダ１２は、トラックバッファＲＡＭ８から読み出されたＭＰＥＧによる圧縮データを伸長するようになっている。
なお、このＡＶデコーダ１２には、ＡＶデコードＲＡＭ１５が接続されており、前述のように伸長されるディジタルデータのうち数画面分を格納するようになっている。
ビデオエンコーダ１３は、ＡＶデコーダ１２からのビデオデータをエンコードし、出力端子１３ａを介して図示省略したモニタ側に送出する。
また、Ｄ／Ａコンバータ１４は、ＡＶデコーダ１２からのオーディオデータをアナログ信号に変換し、出力端子１４ａを介して図示省略したスピーカ側に送出する。
【００２０】
前記バックエンドマイコン１６は、ワークＲＡＭ１６ａを備えている。このワークＲＡＭ１６ａは、ユーザーデータエリヤのトラックに割り当てたアドレスに対応した時間データ等を記憶する。
このバックエンドマイコン１６は、フロントエンドマイコン９からの情報を受けて、レイヤ切換ポイントを解析する処理を実行する。
この解析処理では、前記管理エリヤの管理情報を取得してビデオタイトルデータの記録位置に関するタイムマップテーブル（ＴＭＡＰＴ）を検索するようになっている。
【００２１】
また、バックエンドマイコン１６には、フロントパネルコントローラ１８が接続されている。このフロントパネルコントローラ１８は、ＬＣＤ等からなるフロントパネル１９の制御を行うもので、キー入力部２０の出力や、リモコン２２からの赤外線送信信号を受ける受信部２１の出力が導かれている。
さらに、バックエンドマイコン１６には、ＯＳＤ（On Screen Display）回路１７が接続されている。
このＯＳＤ回路１７は、出力がビデオエンコーダ１３側に接続されており、バックエンドマイコン１６の表示制御に基づいてＯＳＤ信号を出力し、図１０  に示すモニタ２３の画面２３ａにメニューやレイヤ切換時間等を表示させる。
このときは、バックエンドマイコン１６が、アドレス情報を再生時間データに変換処理してＯＳＤ回路１７に出力すると、このＯＳＤ回路１７が「時、分、秒」単位のデータをモニタ２３側に送出し、その画面２３ａに最終アドレスの時間を表示させるようになっている。
【００２２】
リモコン２２は、各種操作キーを備えている。この操作キーとしては、電源オン・オフ用のパワーキー、トレイ開閉用の開閉キー、テンキー、メニューキーおよび設定用の決定キー等を設けている。また、プレイ、ストップ、早送り、早戻しキー等の各種機能キーを備えている。
なお、この機能キーは、モニタ２３の画面２３ａに表示されるメニュー項目を選択するカーソルキーを兼ねている。
メニューキーは、モニタ２３の画面２３ａにメニュー（MENU）の項目を表示させる指令を出力する。このメニュー項目の一つには、「レイヤ切換時間表示」が含まれている。
【００２３】
この「レイヤ切換時間表示」が選択されると、その表示モードに移行し、メインデータが第１記録層側で切り換わるポイントを示す最終アドレスを前述の如く時間で表示させる。
決定キーは、カーソルキーの操作に応じて選択されたメニュー項目を決定する指令を出力する。
このように構成されたリモコン２２は、何れかのキーが押圧操作されると、この操作内容に応じた情報が指令信号としてＤＶＤレコーダー側に送信される。
この指令信号がバックエンドマイコン１６に導かれると、フロントエンドマイコン９とともに、ＤＶＤレコーダー全体の動作を制御する。
【００２４】
次に、ディスクの一例としてＤＶＤを評価する処理について説明する。
このＤＶＤ１は、第１の情報記録面（第１記録層）と第２の情報記録面（第２記録層）とからなる２層構造（DUAL-LAYER）であり、オポジットタイプ(OPPOSITE-TYPE)およびパラレルタイプ(PARALLEL-TYPE)の２種が知られている。
オポジットタイプは、トラックが第１記録層の内周から始まって外周へ、続いて、第２記録層の外周から内周へと螺旋状に設けられている。また、パラレルタイプは、トラックが第１記録層の内周から始まって外周へ、続いて、第２記録層の内周から外周へと螺旋状に設けられている。
これらのＤＶＤ１は、データの記録構造が基本的に等しいもので、図２（ａ）に示すように、リードインエリヤ、ユーザーデータエリヤおよびリードアウトエリヤからなり、このユーザーデータエリヤは第１記録層と第２記録層とに跨っている。
【００２５】
普及型のオポジットタイプについて説明すると、ユーザーデータエリヤは、第１記録層の内周側をアドレス“０”として外周へ、続いて、第２記録層の外周から内周へと順次大きな値になるよう設定している。
従って、ユーザーデータエリヤにオーディオ・ビデオデータ（ＡＶデータ）を記録するときは、連続したＡＶデータに対し連続するアドレスが付加される。
なお、このアドレスについては、ビデオデータの各タイトル（ビデオタイトルデータ）の記録開始位置からの経過時間情報に対応させたアドレス番号データで記録されるようになっている。
【００２６】
よって、このアドレス番号データが読み出されると、トラックのユーザーデータエリヤに記録された映画等の各タイトル番号(例えば、タイトル番号１：TT１)の記録開始および終了位置、さらに、詳細な記録時間等をモニタ２３の画面２３ａに表示可能である。
このユーザーデータエリヤにおいては、コンピュータデータエリヤの間に、ＡＶデータエリヤが設けられ、このエリヤに前述のＡＶデータが最小のセクタ単位で記録される。
【００２７】
このセクタは、セクタ同士の境界を示す同期信号と、そのセクタのトラック上における位置を示すセクタアドレスと、メインデータによって構成される。
また、このユーザーデータエリヤに記録される全情報は、ファイル単位となっている。各データファイル間の関係は、ディレクトリ構造により管理されている。
つまり、コンテンツ（内容）毎に分類した情報の集まり（グループ）を意味するビデオオブジェクト、ピクチャオブジェクト、オーディオオブジェクトおよびサムネールオブジェクト等は、１個のＡＶファイルとしてユーザーデータエリヤに記録される。
【００２８】
ここで、前記ビデオオブジェクトは、ビデオデータのコンテンツの録画情報、ピクチャオブジェクトは、静止画やスライド画像等の静止画情報である。
また、オーディオオブジェクトは、オーディオデータのコンテンツの録音情報である。
さらに、サムネールオブジェクトは、ビデオデータ内の見たい箇所を検索する場合、または編集時に利用されるサムネール（Thumbnail）等の縮小画像情報である。
よって、ＡＶデータエリヤに記録される全ての映像情報は、ビデオオブジェクトに含まれ、全ての音声情報は、オーディオオブジェクトに含まれ、全サムネール情報は、サムネールオブジェクトにそれぞれ含まれる。
【００２９】
ところで、映像情報の最小基本単位をビデオオブジェクトユニット（ＶＯＢＵ）と称し、このＶＯＢＵ内のデータは、各ＶＯＢＵの集合体として構成される。
これらのＶＯＢＵは、２０４８バイト単位のセクタ毎に分割されて記録される。そして、前記各セクタには、パック構造形式で記録がなされる。
つまり、パック毎に生の映像情報、副映像情報、音声情報、ダミー情報がそれぞれのパック形式で記録されるようになっている。
【００３０】
これに対し、再生時においては、再生制御情報（パック制御情報）に再生手順が記録され、任意のＶＯＢ内の任意な範囲を指定し、任意の再生順で再生可能となっている。
よって、ビデオデータを再生する場合、再生制御情報に記述された再生手順では、任意のＶＯＢ内の範囲を指定し、かつ任意の再生順で再生することができる。この再生時における映像情報の基本単位もセルと称している。
なお、映像情報再生シーケンスを示す情報は、プログラムチェーン（ＰＧＣ）により設定される。この再生シーケンスは、１個のセル指定、もしくは複数のセルのつながり情報によって記述される。
ここで、ＰＧＣは、セルの再生順序を指定した一連の再生を実行する単位を示し、セルは、各ＶＯＢ内の再生データを開始アドレスと終了アドレスで指定した再生区間を示している。
【００３１】
前記リードインエリヤは、図２（ｂ）に示す如くエンボスデータエリヤや管理エリヤを有している。
エンボスデータエリヤには、図２（ｃ）に示すように、レイヤ情報として１層または２層の種別、ディスクタイプ、ディスクサイズ、記録密度、記録開始・終了位置を示す物理セクタ番号等のディスク全体に関する情報、その他１枚づつの製造に関する情報が事前に記録される。
また、管理エリヤには、メインデータに関した管理情報が記録される。メインデータがビデオデータの場合は、ビデオタイトルセットマップテーブル（略称：VTS．TMAPT）が管理情報として生成される。
そして、このVTS．TMAPTには、タイトル(TT)１からのビデオタイトルセットマップテーブル先頭アドレス（略称：VTS．TMAPT．SA）が記述される。
【００３２】
図３は、ビデオタイトルセットマップ（VTS．TMAP）のデータ記録例を示す説明図である。
すなわち、ビデオデータの各タイトル(TT)は、タイムユニット(TＭＵ)、予約（RESERVED）、マップエントリ数(MAP．EN．Ns)、マップエントリのテーブル(MAP．ENT)  により構成されている。
ここで、TMＵは秒単位となっており、マップ・エントリの時間間隔を示し、バイト数は１である。ＲＥＳＥＲＶＥＤは、バイト数が１であり、MAP．EN．Ｎｓは、バイト数が２となっている。
また、MAP．ENについては、バイト数が４×マップ・エントリ数となる。なお、このMAP．ENは、各マップ・エントリ先のＶＯＢＵを示している。
【００３３】
図４は、タイムユニット(TＭＵ)  の一例である。
同図において、プログラムチェーン(ＰＧＣ)の先頭位置におけるマップエントリ番号は“０”であり、再生時間も“０”を基準点としている。
ここで、TMUを例えば２秒間隔とした場合、マップエントリ数は、２の整数倍となり、最大２０４８まで設定可能である。
そして、再生時間情報は、マップエントリ番号に対応しているから、マップエントリ番号１では２秒、番号２は４秒、番号４は６秒・・・のように記録されてゆく。
よって、このマップエントリ番号の位置を示すアドレス情報は、時間データに変換することができる。
これにより、アドレス情報を取得すると、その位置の時間を「時、分、秒」単位で簡便に知ることが可能になる。
【００３４】
次に、上記ディスクのレイヤ切換ポイント解析装置の動作について、図を参照しつつ説明する。
図５は、レイヤ切換ポイントを時間表示するプロセスのメインルーチンである。
まず、評価者がディスクをチェックする場合、評価対象のＤＶＤ１をＤＶＤレコーダーのトレイにセットしておく。
そして、リモコン２２を操作し、メニューキーによりメニューをモニタ２３の画面２３ａに表示させ、メニュー項目のうち「レイヤ切換時間表示」を選択する。
【００３５】
これに伴い、マイコン９および１６が、レイヤ切換時間表示モードに移行し、フロントエンドマイコン９が光学系を動作させる。
まず、光ピックアップ４がＤＶＤ１のリードインエリヤより管理情報を読み取ると、ＲＦアンプ５からフロントエンドマイコン９側に送出される。
このフロントエンドマイコン９は、管理情報を取得すると、バッファに記憶させる。
【００３６】
つぎに、バックエンドマイコン１６は、フロントエンドマイコン９にアクセスし、レイヤ情報を取得する（ステップＳ１１）。そして、このＤＶＤ１が１層か２層かを判別する（ステップＳ１２）。
ここで、ＤＶＤ１が１層であると、ステップＳ１８に進み、ＯＳＤ回路１７からＯＳＤ信号を出力させ、モニタ２３の画面２３ａにＤＶＤ１が２層構造ではないことを表示させる。
【００３７】
一方、ＤＶＤ１が２層であると、フロントエンドマイコン９からタイトル情報を取得する（ステップＳ１３）。そして、最初のタイトルからアドレス情報を時間データに変換処理する（ステップＳ１４）。
続いて、このタイトル情報から第１層側のレイヤ情報に最終アドレスが有るか否かを判別する（ステップＳ１５）。
ここで、最終アドレスが有ればステップＳ１８に進み、ＯＳＤ回路１７からＯＳＤ信号を出力させ、モニタ２３の画面２３ａに、図１０に示す如く最終アドレスの時間を表示させる。
この表示内容は、ＤＶＤ１が２層構造であり、オポジットタイプであって、レイヤ切換ポイントがタイトル１に有り、その時間は５８分２２秒であることを示している。
【００３８】
一方、当該タイトルに最終アドレスが無ければ、タイトル数をカウントアップし（ステップＳ１６）、このＤＶＤ１の全タイトル情報を取得したか否かを判別する（ステップＳ１７）。
このとき、全タイトル情報を取得していなければ、ステップＳ１３に進み、次のタイトル情報を取得する。
そして、前述のようにステップＳ１４〜Ｓ１６の処理をした後、ステップＳ１７で全タイトル情報を取得したか否かを判別する。
このような処理を繰り返し、全タイトル情報を取得したときは、画面２３ａに図１１に示す如く最終アドレスが無かったことを示すサインを表示させる。
この表示内容は、レイヤ切換ポイントが全タイトル中に無かったことを示している。
これにより、評価者は、ＤＶＤ１を最初から再生させる必要なく、第１層にレイヤ切換ポイントが有るか否かを簡便に知ることができる。
【００３９】
次に、上記ディスクのレイヤ切換ポイント解析装置における各プロセスについて、図を参照しつつ説明する。
図６は、アドレス情報を時間に変更処理するプロセスのフローチャートである。
すなわち、上記メインルーチンのステップＳ１３において、ＤＶＤ１が２層構造であると判別された後、タイトル情報を解析する処理である。
バックエンドマイコン１６は、フロントエンドマイコン９からビデオ・タイトル・セット・タイム・マップ・テーブル情報（VTS.TMAP.TI）を取得する（ステップＳ２１）。
そして、このVTS.TMAP.TIから該当アドレスをチェックする（ステップＳ２２）。
【００４０】
つぎに、タイム・ユニット（TMU）を取得してから（ステップＳ２３）、マップ・エントリ（MAP.EN）番号を取得する（ステップＳ２４）。
続いて、このMAP.EN番号に基づき、そのアドレス情報を時間データに変換する（ステップＳ２５）。
この結果、VTS.TMAP.TIからレイヤ切換ポイントの時間を得ることができる。
【００４１】
次に、ビデオ・タイトル・セット・タイム・マップ・テーブル（VTS.TMAP.T
）のサーチ処理について説明する。
図７は、VTS.TMAP.Tをサーチするプロセスを示す説明図である。
ここでは、上記メインルーチンのステップＳ１５において、ＤＶＤ１の第１層側にレイヤ切換ポイントである最終アドレスが有るか否かを検索（サーチ）する処理を行う。
このサーチ処理においては、バックエンドマイコン１６が、フロントエンドマイコン９にアクセスし、ビデオ・タイトル・セット・タイム・マップ・テーブル情報（VTS.TMAP.TI）を取得する。
まず、このVTS.TMAP.TIを得ると、ビデオ・タイトル・セット・タイム・マップ＃１・サーチポインタ(VTS.TMAP.SRP#1)により、ビデオ・タイトル・セット・タイム・マップ＃１(VTS.TMAP#1)をサーチする。
【００４２】
つぎに、ビデオ・タイトル・セット・タイム・マップ＃２・サーチポインタ(VTS.TMAP.SRP#2) により、ビデオ・タイトル・セット・タイム・マップ＃２(VTS.TMAP#2) をサーチする。
このようなサーチ処理は、最終アドレス情報が検出されるまで続行するが、ビデオ・タイトル・セット・タイム・マップ＃ｎ・サーチポインタ(VTS.TMAP.SRP＃ｎ) による最後のビデオ・タイトル・セット・タイム・マップ＃ｎ(VTS.TMAP＃ｎ) が実行された時点で終了する。
【００４３】
次に、上記アドレス情報を時間データに変換する情報処理について、図を参照しつつ説明する。
図８は、マップ・エントリ（MAP.EN）番号の取得プロセスを示すフローチャートである。
ここでは、図7に示した上記VTS.TMAP.TIの取得後、最終アドレス情報が有るか否かを演算により比較し、時間データに変換する処理を行う。
まず、バックエンドマイコン１６が、図９に示すように、MAP.EN番号“０”の時点から情報取得を開始し、“ｉ＝０”をセットする（ステップＳ３１）。
つぎに、該当の最終アドレスをチェックするため、次式（１）による演算処理を行う（ステップＳ３２）。
MAP.EN［ｉ］＜１番目の最終アドレス＜MAP.EN［ｉ＋１］・・・（１）
【００４４】
例えば、MAP.EN［ｉ］の番号が “１０００”でアドレスデータは“３０００００”、MAP.EN［ｉ＋１］の番号が“１００１” でアドレスデータは“３０００２０”とする。
ここで、１番目の最終アドレスが有った場合は、アドレスデータが“３０００１０”と算出される。
このときは、ステップＳ３５に進み、当該アドレスを時間データに変換する。このアドレス“３０００１０”に対応する時間が００時５８分２２秒であれば、前述の如くモニタ２３の画面２３ａに“００：５８：２２”が表示される。そして、一連の動作を終了する。
【００４５】
一方、１番目の最終アドレスが無ければ、上位のMAP.EN番号“ｉ＋＋”を取得する（ステップＳ３３）。
続いて、そのMAP.EN番号が最大のMAP.EN番号か否かを次式（２）により演算処理する（ステップＳ３４）。
ｉ＜MAP.EN．Ｎｓ・・・（２）
この結果、最大のMAP.EN番号よりも下位であれば、ステップＳ３２に進み、再び該当の最終アドレスをチェックする。
このような演算処理が続行され、最終アドレスがMAP.EN［ｉ］とMAP.EN［ｉ＋１］との間に存在した時点で時間データに変換する。
一方、最終アドレスが検出されないときは、最大のMAP.EN番号の直前まで演算処理が続行された後、一連の動作を終了する。
【００４６】
以上のように、評価者がレイヤ切換ポイント解析モードを選択すると、モニタ２３の画面２３ａに最終アドレスの時間が表示される。このときは、ＤＶＤ１を再生させる必要がなく、操作時点から数秒で表示可能になるため、多層ディスクの切換ポイントを確認する作業が容易となり、評価者の負担を軽減することができる。
【００４７】
なお、このＤＶＤレコーダーは、前記レイヤ切換ポイント解析モードに加えて、メニューに再生チェックモードを設定可能となっている。
この再生チェックモードを評価者が選択すると、バックエンドマイコン１６が１層側に最終アドレスの有ったとき、この最終アドレスの直前のアドレスからビデオタイトルデータの再生を開始させる。
すると、モニタ２３の画面２３ａに、最終アドレスの直前の再生画像が表示される。このため、画像を最初から再生させる必要なく、レイヤ切換ポイントに差しかかる前に再生すべき画像に注目して不具合を迅速にチェックすることができる。
なお、本装置は、上記各実施の形態に限定されず、本発明の趣旨を逸脱しない範囲で種々の変更が可能である。
【図面の簡単な説明】
【００４８】
【図１】本発明の一実施形態であるディスクのレイヤ切換ポイント解析装置の電気的構成を示すブロック線図である。
【図２】ディスクのデータ構造を示す概要説明図である。
【図３】ビデオタイトルセットマップのデータ記録例を示す説明図である。
【図４】タイムユニットの例示図である。
【図５】レイヤ切換ポイントを時間表示するプロセスのメインルーチンである。
【図６】アドレス情報を時間に変更処理するプロセスのフローチャートである。
【図７】ビデオ・タイトル・セット・タイム・マップ・テーブルの取得プロセスを示すフローチャートである。
【図８】マップ・エントリ番号の取得プロセスを示すフローチャートである。
【図９】マップ・エントリ番号と時間との関係を示すタイムチャートである。
【図１０】レイヤ切換ポイントの時間を表示した画面図である。
【図１１】レイヤ切換ポイントが無い状態を表示した画面図である。
【図１２】従来のレイヤ切換ポイント表示に係る第１層側の画面図である。
【図１３】同第２層側の画面図である。
【符号の説明】
【００４９】
１        ディスク
９，１６  解析手段
１６      制御手段
【図１】
2007048377.tif 000003
【図２】
2007048377.tif 000004
【図３】
2007048377.tif 000005
【図４】
2007048377.tif 000006
【図５】
2007048377.tif 000007
【図６】
2007048377.tif 000008
【図７】
2007048377.tif 000009
【図８】
2007048377.tif 000010
【図９】
2007048377.tif 000011
【図１０】
2007048377.tif 000012
【図１１】
2007048377.tif 000013
【図１２】
2007048377.tif 000014
【図１３】
2007048377.tif 000015